(57)【要約】      （修正有）【課題】本発明の目的は、できる限り簡単な技術的方法により、核磁気共鳴プローブヘッドを改良する。【解決手段】垂直対称軸（ｚ）の周りに配置された１つ以上の高周波コイル２と、高周波ネットワーク３とを備え、高周波コイルと高周波ネットワークは、導電性遮蔽チューブ５を備える外部の高周波放射線を遮蔽する装置４に囲繞され、遮蔽チューブは、ｚ軸に沿って配置され、高周波コイルと高周波ネットワークの周りでｚ方向に基部ディスク６に向かって押すことができる核磁気共鳴プローブヘッド１であって、遮蔽ディスク７が基部ディスクから軸方向に距離を置いたところに設けられる。【選択図】図１ｂ
2019012060.tif 000002
【特許請求の範囲】
【請求項１】
垂直対称軸（ｚ）の周りに配置された１つ以上の高周波コイル（２）と高周波ネットワーク（３）とを備え、前記高周波コイル（２）と前記高周波ネットワーク（３）は、導電性遮蔽チューブ（５）を備える外部の高周波放射線を遮蔽する装置（４）に囲繞され、前記遮蔽チューブ（５）は、前記ｚ軸に沿って配置され、前記高周波コイル（２）と前記高周波ネットワーク（３）の周りで前記ｚ方向に基部ディスク（６）に向かって押すことができる核磁気共鳴プローブヘッド（１）であって、
遮蔽ディスク（７）が前記基部ディスク（６）から軸方向に距離を置いたところに設けられ、取り付けが済んだ状態では、伸長可能な高周波シール（８）が前記遮蔽ディスク（７）と前記遮蔽チューブ（５）の間に配置され、前記シール（８）の形状は、第１取り付け状態では、前記遮蔽チューブ（５）が固定されず力のかからない方法で前記遮蔽ディスク（７）上で押されることができるように、第２取り付け状態では、前記高周波シール（８）が前記遮蔽ディスク（７）と前記遮蔽チューブ（５）の間に機械的に固定され、前記遮蔽ディスク（７）の縁部で前記遮蔽チューブ（５）と確実に導電接続できるように設計されることを特徴とする核磁気共鳴プローブヘッド（１）。
【請求項２】
前記遮蔽チューブ（５）が柱形であることを特徴とする、請求項１に記載の核磁気共鳴プローブヘッド。
【請求項３】
前記遮蔽チューブ（５）が、前記ｚ方向に、少なくとも２つの部分、特に複数の部分から形成されることを特徴とする、請求項１または２に記載の核磁気共鳴プローブヘッド。
【請求項４】
前記遮蔽チューブ（５）が、前記核磁気共鳴プローブヘッド（１）の動作状態のときに前記遮蔽ディスク（７）の下まで分析サンプルを囲繞する第１下位部分（５．１）を備えることを特徴とする、請求項３に記載の核磁気共鳴プローブヘッド。
【請求項５】
前記遮蔽チューブ（５）の前記第１下位部分（５．１）が１００ｍｍから５００ｍｍの間の標準長さであり、前記遮蔽チューブ（５）の第２下位部分（５．２）が前記ｚ方向に選択可能な任意の長さを有するように、好ましくは円柱形チューブとして設計されることを特徴とする、請求項４に記載の核磁気共鳴プローブヘッド。
【請求項６】
前記複数の部分からなる遮蔽チューブ（５）の前記下位部分（５．１、５．２）が、前記核磁気共鳴プローブヘッド（１）に取り付けられる前に、一体的に相互接続、特に接着または溶接されることを特徴とする、請求項３〜５のいずれか一項に記載の核磁気共鳴プローブヘッド。
【請求項７】
前記遮蔽チューブ（５）のうちの少なくとも前記第１下位部分（５．１）の電気伝導率がσ≧３０×１０６Ｓ／ｍであることを特徴とする、請求項３〜６のいずれか一項に記載の核磁気共鳴プローブヘッド。
【請求項８】
前記伸長可能な高周波シール（８）が、前記第２取り付け状態で前記遮蔽ディスク（７）の縁部（７．１）に圧接するばね要素を含んでいることを特徴とする、請求項１〜７のいずれか一項に記載の核磁気共鳴プローブヘッド。
【請求項９】
前記遮蔽ディスク（７）の前記縁部（７．１）が円錐形であることを特徴とする、請求項８に記載の核磁気共鳴プローブヘッド。
【請求項１０】
クランプリング（９）が、前記遮蔽チューブ（５）と前記遮蔽ディスク（７）の間に放射状に配置されることを特徴とする、請求項１〜９のいずれか一項に記載の核磁気共鳴プローブヘッド。
【請求項１１】
前記ばね要素が複数の接触指部を備えており、前記複数の接触指部が、前記遮蔽ディスク（７）と前記遮蔽チューブ（５）の間の円錐面上で前記クランプリング（９）により圧接されることにより、前記遮蔽チューブ（５）と前記遮蔽ディスク（７）の間に電気接点を形成することを特徴とする、請求項１０、および請求項８または９に記載の核磁気共鳴プローブヘッド。
【請求項１２】
前記遮蔽ディスク（７）の前記円錐形縁部（７．１）が、前記高周波シール（８）が取り外されたときに前記接触指部が自動的にロックしないように設計され、特に円錐角が１５°以上であることを特徴とする、請求項９および１１に記載の核磁気共鳴プローブヘッド。
【請求項１３】
前記伸長可能な高周波シール（８）を留めたり取り外したりできるチャックキー（１０）が設けられていることを特徴とする、請求項１〜１２のいずれか一項に記載の核磁気共鳴プローブヘッド。
【請求項１４】
前記高周波シール（８）を留めたり取り外したりするための前記チャックキー（１０）が側面または下から一時的に装着されることを特徴とする、請求項１３に記載の核磁気共鳴プローブヘッド。
【請求項１５】
請求項１〜１４のいずれか一項に記載の核磁気共鳴プローブヘッド（１）と、核磁気共鳴磁石システムと、シムシステムと、タービンと、サンプルチューブを前記核磁気共鳴磁石システム外から前記核磁気共鳴プローブヘッド（１）内のサンプルチューブ測定位置に移送する装置とを備える、核磁気共鳴測定組立体。
【発明の詳細な説明】
【技術分野】
【０００１】
本発明は、核磁気共鳴プローブヘッドに関する。核磁気共鳴プローブヘッドは、好ましくは垂直なｚ軸の周りに配置された１つ以上の高周波コイルと、高周波ネットワークとを備える。高周波コイルと高周波ネットワークは、導電性遮蔽チューブを備える外部の高周波放射線を遮蔽する装置に囲繞される。この遮蔽チューブは、ｚ軸に沿って配置され、高周波コイルと高周波ネットワークの周りでｚ方向に基部ディスクに向かって押すことができる。
【０００２】
このような組立体は、例えば、会社出版物「ＨＦ  ｉｍｍｕｎｉｔｙ  ｍｏｄｉｆｉｃａｔｉｏｎｓ」（Ｂｒｕｋｅｒ  ＢｉｏＳｐｉｎ  ＡＧ，Ｉｎｄｕｓｔｒｉｅｓｔｒａｓｓｅ  ２６，ＣＨ−８１１７  Ｆａｌｌａｎｄｅｎ，Ｓｗｉｔｚｅｒｌａｎｄにより２００７年に発行（＝非特許文献［１］））から知られている。
【背景技術】
【０００３】
核磁気共鳴分光法は、効率的な機器分析の方法である。この過程では、強い静磁場に置かれた分析サンプルに高周波パルスが照射され、分析サンプルの高周波反応が測定される。そして、アクティブボリュームと呼ばれる分析サンプルの特定の領域についての情報が一体的に得られる。分析サンプルは、通常、分析対象である固体状または液体状の測定物質を含む円柱形のサンプルチューブからなる。サンプルチューブは、典型的には、スピナー内に置かれる。サンプルチューブとスピナーは、移送システムにより磁石外から核磁気共鳴プローブヘッド内に移送される。サンプルチューブが測定位置にあるとき、スピナーはタービン内にある。タービンによりサンプルチューブを回転させることができる。測定位置では、サンプルチューブは１つ以上の核磁気共鳴コイルに囲繞される。最も内側の核磁気共鳴コイルは、分析サンプルの外径よりも大きいが可能な限り小さい内径を有する。核磁気共鳴コイルのかさばり係数すなわち感度は、内径に依存し、内径が大きくなるほど下がるためである。
【０００４】
高周波ネットワークを電気的に「封止する」ために、高周波シールが使用される。しかし、この高周波シールを核磁気共鳴プローブヘッドの比較的高い場所に設置すると、遮蔽チューブのほぼ全体がこのシール上を移動しなければならないことになる。このような過程により、特にシールを損傷する恐れがある。さらに、遮蔽チューブの取り付けや取り外しに比較的大きな力を要することになり、これもまたシールと高周波構造を損傷する恐れがある。高周波に対する密閉性に加え、良好な電気的接地がなされることが好ましい。
【０００５】
先行技術の欠点
先行技術の遮蔽チューブを取り付ける場合、チューブが高周波シールを擦ることになる。これにより、軸方向（取り付け方向）に比較的大きな力がかかってしまう。大きな摩擦に起因して、上記の力および部品の縁部が高周波シールを傷付けて、切断されてしまう恐れがある。
【０００６】
先行技術において現在使用されている「ＳｍａｒｔＰｒｏｂｅ（スマートプローブ）」というコンセプト（非特許文献［１］を参照のこと）では、高周波シールがちょうど底部にある基部ディスクのところに位置している。「ｉＰｒｏｂｅ（アイプローブ）」という新しいコンセプトでは、このシールは構想上の理由から中間地点に位置している。高周波シールに関するコンセプトを変えないまま、ｉＰｒｏｂｅのコンセプトに基づいて遮蔽チューブを取り付けると、遮蔽チューブが非常に長い距離においてシールを擦るため、高周波シールは確実ではないが、高い可能性で損傷することになる。さらに、取り付けの際に他の部品を破壊するような大きな力の発生を正確に制御することもできない。
【先行技術文献】
【非特許文献】
【０００７】
【非特許文献１】会社出版物「ＨＦ  ｉｍｍｕｎｉｔｙ  ｍｏｄｉｆｉｃａｔｉｏｎｓ」Ｂｒｕｋｅｒ  ＢｉｏＳｐｉｎ  ＡＧ，Ｉｎｄｕｓｔｒｉｅｓｔｒａｓｓｅ  ２６，ＣＨ−８１１７  Ｆａｌｌａｎｄｅｎ，Ｓｗｉｔｚｅｒｌａｎｄにより２００７年に発行
【発明の概要】
【発明が解決しようとする課題】
【０００８】
これに対して、本発明の目的は、できる限り簡単な技術的方法により、冒頭で説明したようなタイプの核磁気共鳴プローブヘッドを改良し、上記に挙げた欠点をできる限り解消することである。このために、遮蔽チューブは、力をかけずに取り付けおよび取り外しができるが、クランプリングが締められた後は部品間に十分大きな接触力がある状態になり、よって部品間に十分良好な電気伝導を維持することができる。
【課題を解決するための手段】
【０００９】
この複合的な目的は、驚くほど簡単かつ効果的な方法で達成される。冒頭で説明した特徴を有する一般的な核磁気共鳴プローブヘッドにおいて、遮蔽ディスクが基部ディスクから軸方向に距離を置いたところに設けられ、取り付けが済んだ状態では、伸長可能な高周波シールが遮蔽ディスクと遮蔽チューブの間に配置される。このシールの形状は、第１取り付け状態では、遮蔽チューブが固定されず力のかからない方法により遮蔽ディスク上で押されることができるように、第２取り付け状態では、高周波シールが遮蔽ディスクと遮蔽チューブの間に機械的に固定され、遮蔽ディスクの縁部で遮蔽チューブと確実に導電接続できるように設計される。
【００１０】
よって、本発明の核磁気共鳴プローブヘッドは、従来の基部ディスクに加え、基部ディスクから軸方向に距離を置いたところに遮蔽ディスクを備える。さらに、伸長可能な高周波シールがそれらの間に設けられ、シールは第１取り付け状態では固定されておらず力のかからない方法により遮蔽ディスク上で押されることができるため、上記のような破損の危険性を大幅に減らすことができる。シールは、遮蔽チューブの取り付け後、核磁気共鳴プローブヘッドを動作状態にするために固定される。これにより、非常に良好な高周波封止と優れた電気的接地の両方が達成される。
【００１１】
ここで、本発明の明細書および特許請求の範囲では、簡潔に記載するために、「垂直なｚ軸」という言葉や、軸方向の位置として核磁気共鳴コイルシステムの「上」や「下」という言葉が常に使用されるが、本発明の利点は水平または斜め方向のｚ軸を有する核磁気共鳴システムにおいても達成されることに留意されたい。よって、特定される軸方向の位置は、必ずしも核磁気共鳴コイルシステムの「上」や「下」である必要はなく、任意で核磁気共鳴コイルシステムの「右」や「左」としてもよい。いずれにしろ、本発明の動作原理において、重力は重要な働きをしていない。
【００１２】
本発明の好ましい実施形態
本発明の核磁気共鳴プローブヘッドの実施形態では、遮蔽チューブが柱形、好ましくは円柱形であるため、特に製造および取扱いが簡単であり、特に実際に使用する際にこのことが確認される。
【００１３】
本発明の核磁気共鳴プローブヘッドの一実施形態では、遮蔽チューブがｚ方向に少なくとも２つの部分、特に複数の部分から形成されており有利である。このような態様では、今日において従来的な製造の観点からは比較的長いとみなされる遮蔽チューブを分割することができ、より短い部分になることで製造工学の観点からより簡単に製造することができる。さらに、それらの部分は、寸法の点で製造公差がより小さい部分と、「比較的低精度な」部分に分けることができ、全体的な製造コスト面で良い効果をもたらすことになる。
【００１４】
このような一実施形態の好ましい開発例では、遮蔽チューブは、核磁気共鳴プローブヘッドが動作状態のときに、遮蔽ディスクの下まで分析サンプルを囲繞する第１下位部分を備える。よって、遮蔽チューブの高精度な部分は、遮蔽すべき高周波領域の拡大により必要な場合のみ必要となる。
【００１５】
これらの開発例の変形例では、遮蔽チューブの第１下位部分が１００ｍｍから５００ｍｍの間、好ましくは約３００ｍｍの標準長さを有し、遮蔽チューブの第２下位部分は選択可能な任意のｚ方向の長さを有するように、好ましくは円柱形チューブとして設計されることが特に好ましいことを特徴とする。プローブヘッドの長さがどのように変わっても、遮蔽チューブの高精度な部分が常に同じであることは、非常に重要な利点である。これにより、特に高精度の部品を大量に製造することができ、製造コストに良い影響をもたらすことになる。遮蔽チューブの第１下位部分が円柱形である場合、シールを特に簡単に留めることができ、製造も簡単になる。
【００１６】
本発明の上記の一実施形態の他の開発例では、多数の部分からなる遮蔽チューブの下位部分は、核磁気共鳴プローブヘッドに取り付けられる前に、一体的に相互接続、特に接着または溶接されることを特徴とする。これにより、接続のためのスペースを大幅に節約することができる。接着後、多数の部分からなる遮蔽チューブは、試験済みの一体的な遮蔽チューブとしてさらに加工することができる。
【００１７】
さらに、上記の実施形態の有利な開発例では、遮蔽チューブ、そのうちの少なくとも第１下位部分の電気伝導率がσ≧３０×１０６Ｓ／ｍである。この場合、第１下位部分のみが導電性の（より高価な）層を必要とする。第２下位部分には、非常に簡単に、コストをかけずに、例えば陽極酸化処理を施すことができる。
【００１８】
さらに、伸長可能な高周波シールが、第２取り付け状態で遮蔽ディスクの縁部に圧接するばね要素を含む一実施形態が、特に好まれる。これにより、接触圧力を最小限にすることができ、指部を塑性変形させることがない。同時に、遮蔽ディスク−高周波シール−遮蔽チューブシステムの製造公差を吸収することができる。
【００１９】
これらの実施形態の有利な開発例では、遮蔽ディスクの縁部は円錐形であり、長さに関わらず接触ばねを固定することができる。加わる力が多少強すぎても弱すぎても、ばねは常に正しい位置になる。
【００２０】
さらに、クランプリングが遮蔽チューブと遮蔽ディスクの間に放射線状に配置されることを特徴とする本発明の核磁気共鳴プローブヘッドの一実施形態も好まれる。このクランプリングは、高周波シール自体を回転させることなく高周波シールを留めるために回転させることができる。
【００２１】
この実施形態および／または実施形態の一開発例では、ばね要素が複数の接触指部を備える。複数の接触指部は、遮蔽ディスクと遮蔽チューブの間の円錐面上でクランプリングにより圧接されることにより、遮蔽チューブと遮蔽ディスクの間に電気接点が形成される。接点を複数の小さい接点に分割することにより、縁部の接点を常に清潔にすることができる。
【００２２】
これらの開発例および／または開発例のさらなる有利な変形例では、遮蔽ディスクの円錐形縁部は、高周波シールが取り外されたときに接触指部が自動的にロックしないように設計され、特に円錐角が１５°以上である。角度が正しく設定されている場合は常に、高周波シールは、遮蔽チューブを力のかからない方法で取り付けられる非固定位置へと摺動して戻る。
【００２３】
本発明の核磁気共鳴プローブヘッドのさらに好ましい一実施形態では、伸長可能な高周波シールを留めたり取り外したりすることができるチャックキーが設けられることを特徴とする。特別なチャックキーを用いることにより、クランプリングが動作中に外れてしまうことを防ぐことができる。ちなみに、クランプリングを留める要素はどのような場合でも必要である。
【００２４】
これらの実施形態の有利な開発例では、高周波シールを留めたり取り外したりするためのチャックキーは、側面または下から一時的に装着されることを特徴とする。
【００２５】
上記のタイプの本発明の核磁気共鳴プローブヘッドを備える核磁気共鳴測定組立体は、核磁気共鳴磁石システムと、シムシステムと、タービンと、サンプルチューブを核磁気共鳴磁石システム外から核磁気共鳴プローブヘッド内のサンプルチューブ測定位置に移送する装置とをさらに備えてもよい。この核磁気共鳴測定組立体も、本発明の範囲に含まれる。本発明の取り外し可能な高周波シールは、特に核磁気共鳴プローブヘッドと核磁気共鳴磁石と移送装置からなるシステム全体において重要である。この組み合わせによりサンプルチューブを自動的に取り替えることができ、例えばハイスループット核磁気共鳴装置への応用において非常に重要であるためである。本発明の組立体は、高周波シールの挿入時に核磁気共鳴プローブヘッドの損傷を防ぐことができるため、ハイスループット核磁気共鳴装置等への応用に大きく貢献する。
【００２６】
本発明のさらなる利点は、明細書および図面から理解することができる。
【００２７】
同様に、本発明の上記および下記の特徴のそれぞれは、単独で、または任意に組み合わせて利用することができる。
【００２８】
図示および記載された実施形態は、網羅的なリストとしてではなく、発明を記載するための例示として理解されるべきである。
【００２９】
本発明は、図面により示され、実施形態を参照しながら詳細に記載される。
【図面の簡単な説明】
【００３０】
【図１ａ】本発明の核磁気共鳴プローブヘッドの一実施形態の垂直方向概略断面図であり、高周波シールが取り付けられる前または取り外された後の固定されていない第１取り付け状態を示している。
【図１ｂ】図１ａの実施形態の使用可能な状態であり、高周波シールが取り付けられた後の固定された第２取り付け状態を示している。
【図２】本発明の核磁気共鳴プローブヘッドの一実施形態について、伸長可能な高周波シールの部分を詳細に示す垂直方向における片側半分の概略断面図である。
【発明を実施するための形態】
【００３１】
本発明は、核磁気共鳴プローブヘッドにおける破損を防いだ高周波シールの取り付けに関する。
【００３２】
このような核磁気共鳴プローブヘッド１は、一般的に、核磁気共鳴磁石コイル組立体の垂直対称軸ｚの周りに配置された１つ以上の高周波コイル２と、高周波ネットワーク３とを備える。高周波コイル２と高周波ネットワーク３は、導電性遮蔽チューブ５を備える外部の高周波放射線を遮蔽する装置４に囲繞される。遮蔽チューブ５は、ｚ軸に沿って配置され、高周波コイル２と高周波ネットワーク３の周りでｚ方向に基部ディスク６に向かって押すことができる。
【００３３】
本発明では、遮蔽ディスク７が基部ディスク６から軸方向に距離を置いたところに設けられ、取り付けが済んだ状態では、伸長可能な高周波シール８が遮蔽ディスク７と遮蔽チューブ５の間に配置され、このシールの形状は、第１取り付け状態では、遮蔽チューブ５が固定されず力のかからない方法により遮蔽ディスク７上で押されることができるように、第２取り付け状態では、高周波シール８が遮蔽ディスク７と遮蔽チューブ５の間に機械的に固定され、遮蔽ディスク７の縁部で遮蔽チューブ５と確実に導電接続できるように設計されることを特徴とする。
【００３４】
図面に示されている実施形態では、遮蔽チューブ５は、柱形、特に円柱形であり、ｚ方向に少なくとも２つの部分から形成される。核磁気共鳴プローブヘッド１が動作状態のときに、第１下位部分５．１が遮蔽ディスク７の下まで分析サンプルを囲繞する。この第１下位部分５．１は１００ｍｍから５００ｍｍの間の標準長さであり、遮蔽チューブ５の第２下位部分５．２はｚ方向に選択可能な任意の長さを有するように、好ましくは円柱形チューブとして設計される。複数の部分からなる遮蔽チューブ５の下位部分５．１と５．２は、核磁気共鳴プローブヘッド１に取り付けられる前に、一体的に相互接続、特に接着または溶接される。
【００３５】
図１ａと図１ｂは、本発明の核磁気共鳴プローブヘッド１の一実施形態を、高周波シール８を破損せずに取り付けて取り外すための装置とともに概略的に示しており、詳細については本明細書に記載される。図１ａは、第１取り付け状態の伸長可能な高周波シール８を示している。第１取り付け状態では、高周波シール８は、まだ取り付けられていないか、取り付けの後で取り外された状態であり、固定されておらず力がかかっていない状態である。図１ｂは、高周波シール８が取り付けられ、使用可能な取り付け状態を示している。この状態では、高周波シール８は遮蔽ディスク７と遮蔽チューブ５の間に機械的に固定されている。
【００３６】
図２に分かりやすく示されているように、伸長可能な高周波シール８は、第２取り付け状態で遮蔽ディスク７の縁部７．１に圧接するばね要素を含んでいる。遮蔽ディスク７のこの縁部７．１は、円錐形である。
【００３７】
クランプリング９が、遮蔽チューブ５と遮蔽ディスク７の間に放射状に配置されている。ばね要素（図中では詳しくは示されていない）は、複数の接触指部を備えることができる。複数の接触指部は、遮蔽ディスク７と遮蔽チューブ５の間の円錐面上でクランプリング９により圧接されることにより、遮蔽チューブ５と遮蔽ディスク７の間に電気接点を形成する。遮蔽ディスク７の円錐形縁部７．１は、高周波シール８が取り外されたときに接触指部が自動的にロックしないように設計され、特に円錐角が１５°以上である。
【００３８】
さらに、図１ａと図１ｂに示されているように、伸長可能な高周波シール８を留めたり取り外したりできるチャックキー１０が設けられている。この場合、高周波シール８を留めたり取り外したりするためのチャックキー１０は、側面または下から一時的に装着される。
【００３９】
参考文献
［１］会社出版物「ＨＦ  ｉｍｍｕｎｉｔｙ  ｍｏｄｉｆｉｃａｔｉｏｎｓ」Ｂｒｕｋｅｒ  ＢｉｏＳｐｉｎ  ＡＧ，Ｉｎｄｕｓｔｒｉｅｓｔｒａｓｓｅ  ２６，ＣＨ−８１１７  Ｆａｌｌａｎｄｅｎ，Ｓｗｉｔｚｅｒｌａｎｄにより２００７年に発行
［２］Ｄ．Ｓｃｈｍｉｄｉｇ，Ｄ．Ａｌ  Ａｄｗａｎ−Ｓｔｏｊｉｌｋｏｖｉｃ，Ｄ．Ｗｉｌｈｅｌｍ：ＤＥ  １０  ２０１３  ２１２  ３１２  Ｂ４
［３］Ｍ．Ｗａｒｄｅｎ，Ｒ．Ｓｅｙｄｏｕｘ，Ｄ．Ｍａｒｅｋ：ＵＳ  ６，５６３，３１７  Ｂ２；ＥＰ  １  ２３９  ２９６  Ｂ１；ＤＥ  １０１  １１  ６７２  Ｃ２
［４］Ｄ．Ｍａｒｅｋ：ＵＳ  ６，４６６，０１９  Ｂ２；ＥＰ  １  １２４  １３７  Ｂ１；ＤＥ  １００  ０６  ３２４  Ｃ１
［５］Ｋ．Ｎａｇａｏ；Ｋ．Ｎａｋａｇａｗａ：ＵＳ−Ａ  ３５２５９２８
［６］Ｂ．Ｇｒｏｓｓｎｉｋｌａｕｓ，Ｆ．Ｒａｆｆａ，Ｍ．Ｍａｙｅｒ，Ｄ．Ｗｉｌｈｅｌｍ：ＵＳ  ２０１１／０２８４１９２  Ａ１；ＥＰ  ２  ３８８  ６０９  Ａ１；ＤＥ  １０２  ０１  ００２９  ０８０  Ｂ４
［７］Ｊ．Ｈｉｎｄｅｒｅｒ，Ｒ．Ｓｃｈａｕｗｅｃｋｅｒ：ＤＥ  １０  ２０１６  ２１４  ７３１  Ｂ４
【符号の説明】
【００４０】
１  核磁気共鳴プローブヘッド
２  高周波コイル
３  高周波ネットワーク
４  外部の高周波放射線を遮蔽する装置
５  遮蔽チューブ
５．１  遮蔽チューブの第１下位部分
５．２  遮蔽チューブの第２下位部分
６  基部ディスク
７  遮蔽ディスク
７．１  遮蔽ディスクの円錐形縁部
８  伸長可能な高周波シール
９  クランプリング
１０  チャックキー
ｚ  磁石コイル組立体の対称軸
【図１ａ】
2019012060.tif 000003
【図１ｂ】
2019012060.tif 000004
【図２】
2019012060.tif 000005
【外国語明細書】
2019012060000001.pdf
2019012060000002.pdf
2019012060000003.pdf
2019012060000004.pdf